(57)【特許請求の範囲】
【請求項１】
パネルフレームを面材の端部より内側に取付けた壁パネルを複数枚立設して形成される建物外壁の壁パネル間の目地を充填するための乾式目地ガスケットの取付方法において、
前記壁パネルを支持する柱部材の配置位置と前記目地の位置とが一致するように前記壁パネルを複数枚立設する工程と、
該複数枚立設された壁パネルを仮止めする工程と、
前記乾式目地ガスケットを前記建物の内部側から前記目地に挿入する挿入工程と、
前記挿入工程の後で、前記隣接する壁パネルのパネルフレーム間に前記壁パネルを支持する柱部材で前記乾式目地ガスケットを圧入する工程とを備え、
前記柱部材と前記面材の端部とを圧接させ、前記乾式目地ガスケットを前記目地へ圧入して配設したことを特徴とする乾式目地ガスケットの取付方法。
【請求項２】
前記乾式目地ガスケットは、前記目地の幅よりも大きめの幅に形成された底面部と、該底面部から略垂直に突出する突出部とを有し、前記底面部には前記突出部の両側に前記突出部方向へ向けて傾斜した可撓性の折曲部が少なくとも一対形成され、前記突出部には前記底面部方向へ向けて傾斜した可撓性の凸部が少なくとも一対形成され、前記突出部の先端部には前記底面部と平行な平面部と、該平面部から前記底面部方向へ向けて傾斜した縁部とが形成されたものであることを特徴とする請求項１記載の乾式目地ガスケットの取付方法。
【発明の詳細な説明】
【０００１】
【発明の属する技術分野】
本発明は建物外壁の目地処理を乾式目地ガスケットにより行うための乾式目地ガスケットの取付方法に関する。
【０００２】
【従来の技術】
住宅等の建物を建設するにあたっては、工場にてできるだけ部品完成度を高め、建築現場での作業項目を減少させるためにパネル工法の導入が進められている。例えば、パネル工法による建物の外壁は、複数の壁パネルを所定位置に配列することにより形成されるものである。そして、このように形成された外壁は、隣接する各外壁パネル間の目地に防水処理を施す必要がある。
【０００３】
目地の防水処理として、現場で目地内にコーキング材を充填する方法がある。この方法は、先ず目地内に発泡ウレタンゴム等で形成されたバックアップ材を目地表側から所定位置にまで圧入し、次いでコーキング材を目地表側から充填し、最後にコーキング材の表側をへら等で整形するものである。バックアップ材は、目地の幅寸法よりも幅広の断面を有し、目地内に圧入されることで圧縮変形し、自己保持を行う。バックアップ材は隣接する壁パネルを弾性をもって保持し、小口面における衝撃を吸収してコーキング材の二面接着を確保するとともに、コーキング材の目地裏側への流出を防止するものである。
【０００４】
上記のように目地にコーキング材を充填して目地処理を行う技術では、バックアップ材の圧入作業や、コーキング材の充填作業及びコーキング材の整形作業等の多くの作業が必要とされ、高い施工効率性を得ることができなかった。特に、バックアップ材の圧入作業については、バックアップ材を外壁パネルの厚み方向に押し込み過ぎると目地裏から脱落してしまうことがあり、熟練が必要とされていた。
【０００５】
上記目地へコーキング材を充填する方法の他、目地処理をより簡単に行うために、予め合成樹脂等で形成された乾式目地ガスケットを目地内に挿入する技術がある。乾式目地ガスケットは、目地幅よりも幅寸法の大きな係合部を有しており、この係合部を目地へ圧入することにより目地を充填するものである。このように乾式目地ガスケットは目地に挿入するだけで目地における防水処理を行うことができるため、熟練を必要とすることなく、作業性を向上させることができる。
【０００６】
従来の目地処理においては、コーキング材を使用する場合でも、或いは乾式目地ガスケットを使用する場合でも、作業を壁パネルの表側から行っているため、外壁表側に少なくとも作業者が作業可能な作業空間を確保する必要があった。しかし近年の、特に都市部における建築物の密集化に伴い、建築物同士の立地間隔が狭く、表側に作業空間を確保するのが難しいという問題があった。さらに、目地処理作業を建物の上層階において行うには、外壁表側に作業足場を架設したり、あるいは移動式の作業足場を配置するためにより広いスペースが必要とされる。
【０００７】
【発明が解決しようとする課題】
上記問題を解決するために、特開平５−３１１７７０公報では、図９に示すような目地構造が提示されている。図９に示す目地構造は、ジョイナーＡ、パネルＢ、下地材α、固定具βとからなり、ジョイナーＡは、設置片１０１を柱状の下地材α上に設置し、設置片１０１から直角に下方へ屈曲して形成された固定片１０２，１０３を固定具βにより下地材αに固着することにより下地材αに配設されている。
【０００８】
さらにジョイナーＡには設置片の中央部分を上方に直角に立ち上がらせた立ち上がり片１０４が形成されており、立ち上がり片１０４には弾性を有するパッキング体１０５が配設されている。このようにジョイナーＡが取り付けられた下地材αへ、ゴンドラ、クレーン、ウィンチ等でパネルＢを吊り下げ、その木口面Ｂ１がパッキング体１０５に密着するようにパネルＢを固定し、目地部を形成するものである。
【０００９】
上記従来技術によれば、予め形成されたパッキング体１０５へパネルＢを配設して外壁を形成する構成であるため、目地処理を行うために建物の外側から作業することなく、目地における防水性を確保することが可能となる。しかし、パネルＢを立設する際に、パネルＢがパッキング体１０５に密着するように正確に配設する必要があり、パネルの設置に手間がかかるという問題があった。またジョイナーＡを下地材αへ固定具βにより取り付ける必要があるため、取付作業に手間がかかるという問題があった。
【００１０】
上記従来技術の他、特開平５−１３３０６７号公報においては、図１０に示すように、目地を覆う被覆部１１１と、被覆部１１１に連結されて目地内に挿入される挿入部１１２と、挿入部１１２に形成されて目地内に圧入される係合部１１３とを有し、建物の屋内側から設置できる目地処理材１３０が提示されている。目地処理材１３０は、挿入部１１２を目地内に挿入し、目地裏側から引き込んで係合部１１３を目地内に圧入し、内壁側において抜け止め部材によって固定されるように構成されている。
【００１１】
しかし上記従来技術では、目地処理材１３０を目地に配設するとき、目地処理材１３０を先ず外壁の上方から垂下させ、目地の表側に被覆部１１１と係合部１１３とを配置させ、その後挿入部１１２を目地に挿入して内側から引き込む構成とされているため、目地処理材を外壁よりも高い位置まで上昇させる必要があり、配設に手間がかかるという問題があった。また目地処理材１３０の配設後に、挿入部１１２が目地から突出しており、この挿入部１１２を抜け止め部材で固定する構成とされているため外観上問題があった。或いは挿入部１１２を切断した場合は、コーキング材により目地を内側から充填する構成とされているため工数が増加し効率的に作業を行えないという不都合があった。
【００１２】
本発明の目的は、建物の内側から簡単に配設することができる乾式目地ガスケットの取付方法を提供することにある。本発明の他の目的は、安定して高い防水効果を得ることができる乾式目地ガスケットの取付方法を提供することにある。
【００１３】
【課題を解決するための手段】
上記課題は、本発明請求項１による乾式目地ガスケットの取付方法によれば、パネルフレームを面材の端部より内側に取付けた壁パネルを複数枚立設して形成される建物外壁の壁パネル間の目地を充填するための乾式目地ガスケットの取付方法において、前記壁パネルを支持する柱部材の配置位置と前記目地の位置とが一致するように前記壁パネルを複数枚立設する工程と、該複数枚立設された壁パネルを仮止めする工程と、前記乾式目地ガスケットを前記建物の内部側から前記目地に挿入する挿入工程と、前記挿入工程の後で、前記隣接する壁パネルのパネルフレーム間に前記壁パネルを支持する柱部材で前記乾式目地ガスケットを圧入する工程とを備え、前記柱部材と前記面材の端部とを圧接させ、前記乾式目地ガスケットを前記目地へ圧入して配設したこと、により解決される。
【００１４】
このように、壁パネルを立設して仮止めしておき、建物の内側から乾式目地ガスケットを挿入して、柱部材の取り付けるのと同時に乾式目地ガスケットの取付を行うことができるので、建物の内側から乾式目地ガスケットの取付作業を行うことができ、建物の外側に他の建物が近接していても、容易に目地への乾式目地ガスケットの充填を行うことができる。このため、建設している建物に他の建物等が密接していても、目地へのガスケットの充填を容易に行うことができる。
【００１６】
また前記乾式目地ガスケットは、前記目地の幅よりも大きめの幅に形成された底面部と、該底面部から略垂直に突出する突出部とを有し、前記底面部には前記突出部の両側に前記突出部方向へ向けて傾斜した可撓性の折曲部が少なくとも一対形成され、前記突出部には前記底面部方向へ向けて傾斜した可撓性の凸部が少なくとも一対形成され、前記突出部の先端部には前記底面部と平行な平面部と、該平面部から前記底面部方向へ向けて傾斜した縁部とが形成されたものであることを特徴とする。
【００１７】
本発明の乾式目地ガスケットの突出部を目地に挿入することにより、突出部の凸部と縁部とが目地に圧接して雨水等の浸水を阻止するとともに、目地が底面部及び折曲部で被覆されるため、目地内と目地開口部の２箇所において防水を行うことができ、高い防水効果を得ることができる。
【００１８】
【発明の実施の形態】
本発明の乾式目地ガスケット１０の取付方法は、パネルフレーム２２を面材２１の端部より内側に取付けた壁パネル２０を複数枚立設して形成される建物外壁の壁パネル２０間の目地Ｍを充填するための乾式目地ガスケット１０の取付方法に関するものである。
【００１９】
上記取付方法における工程は次の通りである。先ず壁パネル２０を支持する柱部材３０の配置位置と目地Ｍの位置とが一致するように壁パネル２０を複数枚立設する工程を行う。次に、複数枚立設された壁パネル２０を仮止めする工程を行う。そして乾式目地ガスケット１０を建物の内部側から目地Ｍに挿入する挿入工程を行う。さらに隣接する壁パネル２０のパネルフレーム２２間に、壁パネル２０を支持する柱部材３０を圧入する工程とを行う。そして柱部材３０と面材２１の端部とを圧接させることにより、乾式目地ガスケット１０を目地Ｍへ配設する。
【００２１】
さらに本発明の乾式目地ガスケット１０は、目地Ｍの幅よりも大きめの幅に形成された底面部１３と、底面部１３から略垂直に突出する突出部１１とを有しており、底面部１３には突出部１１の両側に突出部１１方向へ向けて傾斜した可撓性の折曲部１３ａが少なくとも一対形成されている。また、突出部１１には底面部１３方向へ向けて傾斜した可撓性の凸部１２が少なくとも一対形成されている。さらに、突出部１１の先端部には底面部１３と平行な平面部１１ａと、平面部１１ａから底面部１３方向へ向けて傾斜した縁部１１ｂとが形成されている。そして突出部１１を目地Ｍに挿入することにより凸部１２及び縁部１１ｂが目地Ｍに圧接し、底面部１３及び折曲部１３ａが壁パネル２０に当接して目地Ｍを被覆する。
【００２２】
【実施例】
以下、本発明の一実施例を図面に基づいて説明する。なお、以下に説明する部材，配置等は本発明を限定するものでなく、本発明の趣旨の範囲内で種々改変することができるものである。
【００２３】
図１乃至図８は本発明に係る実施例を示すものであり、図１は壁パネルを示す説明図、図２乃至図４は乾式目地ガスケットの取付方法を示す説明図、図５は乾式目地ガスケットの断面図、図６乃至図８は他形状の乾式目地ガスケットの取付方法を示す説明図である。
【００２４】
本発明の乾式目地ガスケット１０の取付方法は、建物外壁の壁パネル２０間の目地Ｍへ乾式目地ガスケット１０を取付ける方法に関するものである。建物外壁を構成する壁パネル２０は、図１に示すように、面材２１と、パネルフレーム２２とから構成されており、パネルフレーム２２は面材２１の端部２１ａより内側に位置するように取付けられている。パネルフレーム２２は、例えば断面コ字状の金属製の長尺部材を溶接等で矩形に枠組みすることにより形成されている。また面材２１はセラミック系の外壁材や、耐水合板等から形成されている。
【００２５】
本実施例においては、面材２１とパネルフレーム２２との接合部に合板２３が配設されており、この合板２３を介して面材２１とパネルフレーム２２とがビス或いは接着剤等により固定されている。この合板２３は壁パネル２０の強度を高めるためのものである。なお合板２３を面材２１とパネルフレーム２２との間に介在させるときには、合板２３に保護部材２３ａを取り付けておくことにより、後述する柱部材を面材２１側へ向けてより強く押しつけることができ、柱部材を所定位置に確実に配設することができる。保護部材２３ａとしては、例えば亜鉛鉄板を使用する。なお、パネルフレーム２２に囲まれる空間にはグラスウールや、発泡ウレタン等からなる断熱材が充填される。
【００２６】
上記壁パネル２０を複数枚立設させることにより建物の外壁を形成する。そしてこのとき壁パネル２０間にできる目地Ｍに乾式目地ガスケット１０を取り付けることにより、目地Ｍにおける防水処理を行う。図１乃至図４において、本発明における乾式目地ガスケット１０の取付方法について説明する。
【００２７】
先ず、壁パネル２０を支持する柱部材３０の配置位置と目地Ｍの位置とが一致するように、壁パネル２０を複数枚立設する工程を行なう。次に、立設された壁パネル２０を仮止めする工程を行う。本工程では、前工程で複数枚立設された壁パネル２０の上部を固定部材（図示せず）において仮止めする。固定部材として例えば胴差や軒桁がある。
【００２８】
次に図２に示すように、乾式目地ガスケット１０を外壁の内側、即ち建物の内部側から目地Ｍに挿入する工程を行う。乾式目地ガスケット１０は弾性を有し、突出部１１と、突出部１１に形成される複数の凸部１２と、目地Ｍの幅寸法より大きめの寸法に形成された底面部１３とから構成されている。
【００２９】
乾式目地ガスケット１０の突出部１１は、壁パネル２０の厚さ寸法よりも短めの寸法になるように形成され、外側に飛び出さないように構成されている。また突出部１１の先端部には底面部１３と平行な平面部１１ａと、この平面部１１ａに連続した縁部１１ｂとが形成されている。
【００３０】
突出部１１に形成される凸部１２は、底面部１３方向へ向けて傾斜して形成されており、本実施例では２組の凸部が形成されている。凸部１２は突出部１１を目地Ｍに挿入したとき、目地Ｍに圧接するように形成されている。
【００３１】
底面部１３には、突出部１１を挟んで可撓性の折曲部１３ａが形成されている。本例では折曲部１３ａは、突出部１１の両側に２組形成されており、それぞれの折曲部１３ａは突出部１１側へ向かって傾斜して形成されている。
【００３２】
図５は本発明の乾式目地ガスケット１０の構成を示す断面図である。図５に示すように乾式目地ガスケット１０は、長尺の芯材１０ａと、この芯材１０ａに配設されるパッキング体１０ｂとから構成されている。芯材１０ａは、例えば溶融亜鉛メッキ鋼板等の表面処理鋼板、或いはステンレス板、アルミニウム板等からなり、断面略Ｔ字形になるように折り曲げられて形成されている。パッキング体１０ｂは、例えば軟質ＰＶＣ，ポリスチレン，ポリエチレン等からなり、少なくとも弾性を有する部材から形成されている。パッキング体１０ｂは自己接着性を利用して、もしくは別途接着剤を介して、或いは芯材１０ａと一体に押し出し成形することにより芯材１０ａに配設されている。
【００３３】
次に図３に示すように、隣接する壁パネル２０のパネルフレーム２２間に壁パネル２０を支持する柱部材３０を圧入する工程を行う。柱部材３０は、例えば図３に示すように金属製の長尺部材であり、柱部材３０の幅Ｘが、隣接するパネルフレーム２２間の幅よりも若干大きめになるように構成されている。本工程では、前工程において既に目地Ｍに挿入された乾式目地ガスケット１０を壁パネル２０側へ押し込むように、図３の矢印方向に柱部材３０を圧入する。
【００３４】
そして図４に示すように、柱部材３０と面材２１の端部とを圧接させる。本実施例では、面材２１とパネルフレーム２２との接合部に合板２３が介在しているので、柱部材３０は合板２３と圧着される。このとき乾式目地ガスケット１０の突出部１１は目地Ｍ内に挿入され、突出部１１に形成された凸部１２及び先端部の縁部１１ｂが目地Ｍに圧接する。さらに柱部材３０と合板２３との間で、乾式目地ガスケット１０の底面部１３が挟まれ合板２３側へ圧着され、底面部１３に形成された折曲部１３ａもまた、柱部材３０と合板２３との間で折り畳まれるようにして合板２３側へ圧着される。このように本発明の乾式目地ガスケット１０を目地Ｍに配設することにより、目地Ｍ内部と目地Ｍの開口部において外部からの雨水等の浸入が防止され、高い防水効果を得ることができる。
【００３５】
図６乃至図８は他の形状の乾式目地ガスケット１０の目地への取付方法を示す説明図である。前記実施例では、底面部１３において、突出部１１側へ向かって傾斜した折曲部１３ａが２組形成されている例を示したが、本実施例で用いる乾式目地ガスケット１０の底面部１３の端部には、突出部１１から離れるように傾斜した折曲部１３ａが形成されている。
【００３６】
上記乾式目地ガスケット１０の目地への取付方法は前記実施例と同様に、先ず、壁パネル２０を支持する柱部材３０の配置位置と目地Ｍの位置とが一致するように、壁パネル２０を複数枚立設し、これら立設された壁パネル２０を仮止めする。そして、乾式目地ガスケット１０を外壁の内側から目地Ｍに挿入する。次に隣接する壁パネル２０のパネルフレーム２２間に柱部材３０を圧入する。
【００３７】
そして図８に示すように、柱部材３０と面材２１の端部に位置する合板２３とを圧接させる。このとき乾式目地ガスケット１０の底面部１３及び折曲部１３ａは柱部材３０と合板２３との間に挟まれ、合板２３側へ圧着される。このようにして底面部１３及び折曲部１３ａが目地Ｍの建物内部側の開口を隙間なく覆うように構成される。
【００３８】
なお、乾式目地ガスケット１０としては上記構成に限らず、突出部自体を目地に圧接させるように形成した構成や、凸部を連続した波形に形成した構成等、他の構成を有する乾式目地ガスケットを採用しても良いことは勿論である。
【００３９】
上記のように、建物の内部側から目地Ｍへ乾式目地ガスケット１０を充填することができるので、建築中の建物に他の建物が近接しているような施工現場においても、簡単に目地Ｍへの防水処理を行うことができる。さらに本実施例の乾式目地ガスケット１０は、先端部に形成された平面部１１ａと縁部１１ｂ，及び凸部１２を有する突出部１１と、折曲部１３ａを有する底面部１３とから構成されているので、縁部１１ｂと凸部１２が目地Ｍに圧接して雨水等の浸水を阻止するとともに、底面部１３及び折曲部１３ａにより目地Ｍの建物内部側の開口部が被覆されるため、目地内と目地開口部の２箇所において防水を行うことができ、高い防水効果が得られる。
【００４２】
【発明の効果】
以上のように本発明によれば、外壁の目地に乾式目地ガスケットを建物の内側から取り付けることができるので、建物の外側に作業スペースを確保する必要がなく、また作業のための足場が不要となり、施工中の建物に他の建物が近接している場合でも、簡単に目地処理を行うことができる。
【００４３】
また目地を内側から被覆する被覆部を有する乾式目地ガスケットを使用することにより、この被覆部が柱部材によって壁パネルに押さえつけられるように構成されるので、乾式目地ガスケットと壁パネルとの間に十分な密着力を確保することができる。このように壁パネル間の目地における防水を目地内部及び建物内側の２箇所で行うことができるので、高い防水効果を得ることができる。
【図面の簡単な説明】
【図１】本発明の壁パネルを示す説明図である。
【図２】本発明の乾式目地ガスケットの取付方法を示す説明図である。
【図３】本発明の乾式目地ガスケットの取付方法を示す説明図である。
【図４】本発明の乾式目地ガスケットの取付方法を示す説明図である。
【図５】本発明の乾式目地ガスケットを示す断面図である。
【図６】他の形状の乾式目地ガスケットの取付方法を示す説明図である。
【図７】他の形状の乾式目地ガスケットの取付方法を示す説明図である。
【図８】他の形状の乾式目地ガスケットの取付方法を示す説明図である。
【図９】従来例を示す説明図である。
【図１０】従来例を示す説明図である。
【符号の説明】
１０  乾式目地ガスケット
１１  突出部
１１ａ  平面部
１１ｂ  縁部
１２  凸部
１３  底面部
１３ａ  折曲部
２０  壁パネル
２１  面材
２２  パネルフレーム
２３  合板
３０  柱部材
Ｍ  目地
【図１】
0003981466.tif 000002
【図２】
0003981466.tif 000003
【図３】
0003981466.tif 000004
【図４】
0003981466.tif 000005
【図５】
0003981466.tif 000006
【図６】
0003981466.tif 000007
【図７】
0003981466.tif 000008
【図８】
0003981466.tif 000009
【図９】
0003981466.tif 000010
【図１０】
0003981466.tif 000011